(57)【要約】【課題】内側に押し花を具えた人工皮の製造方法。【解決手段】透明人工皮製造に必要な原料をホッパ内に入れ、並びに高圧、電熱伝動軸機能を有する前処理機構で処理し、ホットメルト状態とし、スクリュー押出機構で液状に還元する第１ステップと、乾燥花を接着し張力特性を具えた基材に冷却ロールセット間を通過させ、該乾燥花端側の冷却ロールセットを区画して液体滞留区を形成し、該液体滞留区で第１ステップで流れ落ちた人工皮液状原料を受け、この液状原料により基材上の乾燥花と基材に対して高温浸漬殺菌し、コート膜を形成すると共に、コートした基材側の空気を押し出して排除する第２ステップと、もう一組の冷却ロールセットで基材の乾燥花端側を区画して液体滞留区を形成し、この液体滞留区に別の人工皮液状原料を滞留させ、基材の底面にコート膜を形成する第３ステップを有する。【選択図】　　　　図１
2004076181.tif 000002
【特許請求の範囲】
【請求項１】
内側に押し花を具えた人工皮の製造方法において、
透明人工皮製造に必要な原料をホッパ内に入れ、並びに高圧、電熱伝動軸機能を有する前処理機構で処理し、人工皮原料を固体からホットメルト状態となし、スクリュー押出機構で液状に還元して液体となし、次の製造ステップに供する第１ステップと、
乾燥花が接着され張力特性を具えた基材に冷却ロールセット間を通過させ、該乾燥花端側の冷却ロールセットにより、液体滞留区を区画形成し、該液体滞留区で第１ステップで流れ落ちた人工皮液状原料を受け、この液状原料により基材上の乾燥花と基材に対して浸漬、高温殺菌を行うと共に、保護膜を形成し、この側の空気を押し出して排除する第２ステップと、
もう一組の冷却ロールセットを設置し、第２ステップを通過した基材に、該もう一組の冷却ロールセットを通過させ、該もう一組の冷却ロールセットにより基材の乾燥花端側と反対側である基材の底面を区画して液体滞留区を形成し、この液体滞留区に別の人工皮液状原料を滞留させ、基材の底面を浸漬して底膜を形成して保護機能を付与し、これにより乾燥花を殺菌真空保護し、内側に押し花を具えた人工皮を完成する第３ステップと、
を具えたことを特徴とする、内側に押し花を具えた人工皮の製造方法。
【請求項２】
前記基材の底層を形成するための人工皮液状原料が有色材料とされたことを特徴とする、請求項１に記載の内側に押し花を具えた人工皮の製造方法。
【請求項３】
前記人工皮液状原料を液体滞留区に注入する流速により、基材に設置された乾燥花端の液体滞留区の通過時間を設定することを特徴とする、請求項１に記載の内側に押し花を具えた人工皮の製造方法。
【発明の詳細な説明】
【０００１】
【発明の属する技術分野】
本発明は一種の内側に押し花を具えた人工皮の製造方法に係り、特に、乾燥花を真空鮮度保持する機能を有する成形方法であって、人工皮内側の乾燥花の保存時間を延長し、長く持続する立体美観効果を有するようにする、内側に押し花を具えた人工皮の製造方法に関する。
【０００２】
【従来の技術】
内側に押し花を具えた人工皮の構造は、すでに公開された台湾特許公告第３４６０４７号があり、それに記載された技術は、基布（１）に複数の自然物の押し花２を接着し、並びにその上に極めて薄いフィルム３を接合し、自然物の押し花２を基布１に接合し、基布１に立体模様を具備させる。
【０００３】
上述の技術は立体押し花布構造を形成できるが、その成形技術は自然物の押し花２の上に接着剤を塗布し且つ極めて薄いフィルム３を接合するにすぎず、このような冷接着成形方式は根本的に自然物の押し花２に、フィルム３の区画により発生する真空効果を確保させられず、ある時間が経過すると、水や空気のしみこみにより押し花２にカビが発生し変質し、もとの状態を失う。且つ、フィルム３は接合後に硬化し、一般の皮革のような柔軟な弾性を失う。このため、この周知の技術は基本的に、ただフィルム３を利用して自然物の押し花２を隔離するだけで、自然物の押し花２に真空鮮度保持の機能を与えることができない。ゆえに、周知の押し花２は保存機能を予期された保存機能を具備せず、且つ花弁が落ちやすく、萎びやすく、ゆえに改良の必要を有している。
【０００４】
【発明が解決しようとする課題】
以上を鑑み、本発明者は、自然物の押し花を真空状態に保存しなければ、その使用寿命を延長し、押し花の美観効果を維持できないことに気づき、本発明を研究開発した。
【０００５】
ゆえに、本発明の主要な目的は、一種の、真空鮮度保持機能を有する内側に押し花を具えた人工皮の製造方法を提供し、人工皮押し花の保存時間を延長し、長期持続性の立体美観効果を有するようにすることにある。
【０００６】
【課題を解決するための手段】
請求項１の発明は、内側に押し花を具えた人工皮の製造方法において、
透明人工皮製造に必要な原料をホッパ内に入れ、並びに高圧、電熱伝動軸機能を有する前処理機構で処理し、人工皮原料を固体からホットメルト状態となし、スクリュー押出機構で液状に還元して液体となし、次の製造ステップに供する第１ステップと、
乾燥花が接着され張力特性を具えた基材に冷却ロールセット間を通過させ、該乾燥花端側の冷却ロールセットにより、液体滞留区を区画形成し、該液体滞留区で第１ステップで流れ落ちた人工皮液状原料を受け、この液状原料により基材上の乾燥花と基材に対して浸漬、高温殺菌を行うと共に、保護膜を形成し、この側の空気を押し出して排除する第２ステップと、
もう一組の冷却ロールセットを設置し、第２ステップを通過した基材に、該もう一組の冷却ロールセットを通過させ、該もう一組の冷却ロールセットにより基材の乾燥花端側と反対側である基材の底面を区画して液体滞留区を形成し、この液体滞留区に別の人工皮液状原料を滞留させ、基材の底面を浸漬して底膜を形成して保護機能を付与し、これにより乾燥花を殺菌真空保護し、内側に押し花を具えた人工皮を完成する第３ステップと、
を具えたことを特徴とする、内側に押し花を具えた人工皮の製造方法としている。
請求項２の発明は、前記基材の底層を形成するための人工皮液状原料が有色材料とされたことを特徴とする、請求項１に記載の内側に押し花を具えた人工皮の製造方法としている。
請求項３の発明は、前記人工皮液状原料を液体滞留区に注入する流速により、基材に設置された乾燥花端の液体滞留区の通過時間を設定することを特徴とする、請求項１に記載の内側に押し花を具えた人工皮の製造方法としている。
【０００７】
【発明の実施の形態】
図１は本発明の実施例の内側に押し花を具えた人工皮の製造方法の製造工程表示図である。本発明の実施例によると、その製造設備は、ホッパ５、二つの冷却ロールセット６、７、及びその他の補助伝動機構を具え、本発明の製造方法は、以下のステップを有する。
第１ステップ：　透明人工皮製造に必要な原料４（例えばＰＥ或いはＥＶＡ）をホッパ５内に入れ、並びに高圧、電熱伝動軸機能を有する前処理機構で処理し、人工皮原料４を固体状から熱で溶けた液状となし、さらに、スクリュー押出機構５０を利用して還元して液状原料４０となし（温度約２００℃以上）、次のステップに供する。
第２ステップ：　予め乾燥花８０が接着され且つ適当な張力を具備する基材８（図２参照）を、第１冷却ロールセット６内に進入させ、且つ該乾燥花８０端側外の第１冷却ロールセット６の上方を区画して液体滞留区６０を形成し、該液体滞留区６０で前述の第１ステップで流れ落ちる人工皮液状原料４０（透明性となしうる）を受け、該液状原料により、牽引され経過する基材８及びその上の乾燥花８０に対して、浸漬、高温殺菌を行い、高温殺菌後にさらにフィルム保護を形成する。基材８及びその上の乾燥花８０が第１冷却ロールセット６を通過した後、人工皮液状原料４０が牽引され経過する乾燥花８０及び基材８の凹凸表面に対して飽和現象を形成し、人工皮液状原料４０が突出物後端を経過する時に発生する気泡現象を排除し、この部分の空気を上向きに押し出して排除し、完全に第１冷却ロールセット６を通過した後、もとの人工皮液状原料４０が冷却され軟質固体状を形成して基材８と乾燥花８０上に付着する（図３参照）。
第３ステップ：　透明保護層４１を付着した基材８及び乾燥花８０を続いて牽引して第２冷却ロールセット７を通過させ、該基材８の該乾燥花８０と反対の端側外の第２冷却ロールセット７に同様に液体滞留区７０を区画形成させ、この液体滞留区７０に別の一種の人工皮液状原料９０を注入、滞留させ（非透明で色付きのものが好ましい）、膜形成と殺菌保護効果を形成させる。同様に、第２冷却ロールセット７を通過した後、基材８の底面に対して飽和現象が発生し、有色底層９１を具えた人工皮を形成する（図４参照）。基材８及び乾燥花８０が二つの冷却ロールセット７、８による膜形成、浸漬及び排気の作用を経由させることにより、基材８及び乾燥花８０を真空保護し、これにより内側に押し花を具えた人工皮を製造する。
【０００８】
【発明の効果】
本発明の実施例は透明材質の人工皮液状原料の流速を改変するだけで、基材８の乾燥花８０を有する部分が冷却ロールセット６を通過する時に液状原料に十分に浸漬、膜形成させて、乾燥花８０が通過する時に空気を排除し、真空効果を達成することができ、これにより乾燥花８０の鮮度保持して美観視覚効果を延長する機能を達成する。その簡単なフローチャートは図５に示されるとおりである。
【０００９】
ゆえに、以上の説明から分かるように、本発明は確実に従来の内側に押し花を具えた人工皮の製造方法に欠けていた真空鮮度保持機能とそれにより花弁が湿気により落ちやすく、さらには色褪せる欠点を改善する。本発明の天然押し花は液体滞留区６０、７０内に滞留する人工皮液状原料４０、９０の高温による殺菌効果を得られ、及び殺菌と共に天然押し花の真空被覆による真空鮮度保持機能を得られ、天然花の色褪せしやすく、湿気やすく、カビを発生しやすい問題を有効に解決し、乾燥花の寿命と立体美観視覚効果を延長する。本発明は各種の皮製品、例えば、財布、鞄或いは雨傘、服飾物品に応用可能で、産業上の利用範囲は極めて広く、実用性と進歩性を有する発明である。
【００１０】
総合すると、本発明の内側に押し花を具えた人工皮の製造方法は、予期された目的と機能を達成し、且つ新規性を有し、内側に押し花を具えた人工皮の品質及びその寿命を延長し、顕著な機能増進を具備し、進歩性を有し、完全に特許の要件に符合する。なお、以上の実施例は本発明の実施範囲を限定するものではなく、本発明に基づきなしうる細部の修飾或いは改変は、いずれも本発明の請求範囲に属するものとする。
【図面の簡単な説明】
【図１】本発明の実施例の製造方法表示図である。
【図２】図１中のＡ位置の断面構造図である。
【図３】図１中のＢ位置の断面構造図である。
【図４】図１中のＣ位置の断面構造図である。
【図５】本発明の実施例の製造簡易フローチャートである。
【符号の説明】
４　人工皮液状原料　　　　　５　ホッパ
６、７　冷却ロールセット　　８　基材
５０　押出機構　　　　　　　６０、７０　滞留区
８０　乾燥花　　　　　　　　４０、９０　液状原料
４１　保護層　　　　　　　　９１　底層
【図１】
2004076181.tif 000003
【図２】
2004076181.tif 000004
【図３】
2004076181.tif 000005
【図４】
2004076181.tif 000006
【図５】
2004076181.tif 000007